(57)【要約】【課題】２つの表示部に跨って表示される画像の接合性を向上できる表示装置を提供する。【解決手段】二軸のヒンジ機構により連結されるとともに、それぞれ表示面を有する２つの筐体を備え、それぞれの表示面が水平になるときヒンジ機構が筐体内に収納されることにより、それぞれの筐体の表裏面上にヒンジ機構がはみ出さない状態で、それぞれの筐体の表裏面がそれぞれ連続し、それぞれの表示面に跨って画像を表示する。【選択図】図４
2010039971.tif 000002
【特許請求の範囲】
【請求項１】
二軸のヒンジ機構により連結されるとともに、それぞれ表示面を有する２つの筐体を備え、
それぞれの表示面が水平になるとき前記ヒンジ機構が前記筐体内に収納されることにより、それぞれの筐体の表裏面がそれぞれ連続することを特徴とする表示装置。
【請求項２】
二軸のヒンジ機構により連結されるとともに、それぞれ表示面を有する２つの筐体を備え、
それぞれの表示面が水平になるとき前記ヒンジ機構が前記筐体内に収納されることにより、それぞれの筐体の表裏面上に前記ヒンジ機構がはみ出さないことを特徴とする表示装置。
【請求項３】
前記それぞれの表示面が水平になるとき前記それぞれの表示面に跨って画像を表示することを特徴とする請求項１または２記載の表示装置。
【請求項４】
第１表示部を備える第１筐体と、
第２表示部を備える第２筐体と、
前記第１筐体と前記第２筐体とを連結するとともに開閉自在とする第１ヒンジ部と、
前記第１表示部及び前記第２表示部の表示を制御する表示制御部と、を有し、
前記第１表示部と前記第２表示部とが水平になるとき前記第１ヒンジ部が前記第１筐体及び前記第２筐体内に収納されることにより、前記第１ヒンジ部が前記第１筐体及び前記第２筐体の表裏面上にはみ出さず、前記第１筐体及び前記第２筐体の表裏面がそれぞれ連続し、
前記表示制御部は、
前記第１表示部と前記第２表示部とに跨って画像を表示することを特徴とする表示装置。
【請求項５】
入力部を備える第３の筐体と、
前記第２筐体と前記第３筐体とを連結するとともに開閉自在とする第２ヒンジ部と、
をさらに有することを特徴とする請求項４記載の表示装置。
【請求項６】
前記第２ヒンジ部により前記第２筐体と前記第３筐体との開き角が１８０度未満になる場合に前記第１筐体及び前記第２筐体を支持するための支持部をさらに有することを特徴とする請求項５記載の表示装置。
【発明の詳細な説明】
【技術分野】
【０００１】
本発明は、複数の筐体を開閉自在に連結した表示装置に関する。
【背景技術】
【０００２】
本発明に関連する技術例として、特許文献１に携帯端末装置が開示されている。特許文献１の携帯端末装置は、上部筐体と下部筐体とが接続部によって連結され、接続部の回動により開閉自在となっている。また、上部筐体に上部表示部、下部筐体に下部表示部をそれぞれ備えている。このような構成により、特許文献１の携帯端末装置では、上部表示部及び下部表示部の２つの表示部に跨って画像を表示する大画面表示（パノラマ表示）を実現している。
【特許文献１】特開２００５−１８４２６７号公報
【発明の開示】
【発明が解決しようとする課題】
【０００３】
しかしながら、特許文献１の携帯端末装置では、特許文献１の図２０に示されているように、上部表示部と下部表示部との間に接続部が存在している。このため、特許文献１の携帯端末装置には、上部表示部と下部表示部に跨って表示される画像が接続部の部分で途切れてしまうという問題がある。
【０００４】
本発明は、上記事情に鑑みてなされたものであり、２つの表示部（表示面）に跨って表示される画像の接合性を向上できる表示装置を提供することを目的とする。
【課題を解決するための手段】
【０００５】
かかる目的を達成するために、本発明の表示装置は、第１の態様として、二軸のヒンジ機構により連結されるとともに、それぞれ表示面を有する２つの筐体を備え、それぞれの表示面が水平になるときヒンジ機構が筐体内に収納されることにより、それぞれの筐体の表裏面がそれぞれ連続することを特徴とする。
【０００６】
本発明の表示装置は、第２の態様として、二軸のヒンジ機構により連結されるとともに、それぞれ表示面を有する２つの筐体を備え、それぞれの表示面が水平になるときヒンジ機構が筐体内に収納されることにより、それぞれの筐体の表裏面上にヒンジ機構がはみ出さないことを特徴とする。
【０００７】
本発明の表示装置は、第３の態様として、第１表示部を備える第１筐体と、第２表示部を備える第２筐体と、第１筐体と第２筐体とを連結するとともに開閉自在とする第１ヒンジ部と、第１表示部及び第２表示部の表示を制御する表示制御部と、を有し、第１表示部と第２表示部とが水平になるとき第１ヒンジ部が第１筐体及び第２筐体内に収納されることにより、第１ヒンジ部が第１筐体及び第２筐体の表裏面上にはみ出さず、第１筐体及び第２筐体の表裏面がそれぞれ連続し、表示制御部は、第１表示部と第２表示部とに跨って画像を表示することを特徴とする。
【発明の効果】
【０００８】
本発明によれば、２つの表示部に跨って表示される画像の接合性を向上させることができる。
【発明を実施するための最良の形態】
【０００９】
本発明を実施するための最良の形態について添付図面を参照して詳細に説明する。以下の説明では、本発明の表示装置が適用される一実施形態として、情報処理装置であるノート型のパーソナルコンピュータ（Personal Computer。以下、ＰＣという）を例とするが、本発明はこれに限定されるものではない。
【００１０】
以下に説明する本実施形態のＰＣは、二軸のヒンジ機構により連結されるとともに、それぞれ表示面を有する２つの筐体を備え、それぞれの表示面が水平になるときヒンジ機構が筐体内に収納されることにより、それぞれの筐体の表裏面上にヒンジ機構がはみ出さない状態で、それぞれの筐体の表裏面がそれぞれ連続し、それぞれの表示面に跨って画像を表示する表示装置を有する。
【００１１】
本実施形態のＰＣの内部構成を図１に示す。図１は、本実施形態のＰＣのハードウェア構成を示すブロック図である。図１に示すように、本実施形態のＰＣは、入力部７、表示部８、ＣＰＵ（Central Processing Unit）１０、ＲＯＭ（Read Only Memory）１１、ＲＡＭ（Random Access Memory）１２、バス２０を有する。また、ＣＰＵ１０は、入力制御部１４及び表示制御部１５を有する。
【００１２】
ＣＰＵ１０は、バス２０を介して、ＰＣ内の各部に接続されており、読み込んだプログラムに従ってＰＣ全体の動作を制御し、各種機能を実現する。ＲＯＭ１１は、各種制御用プログラム等の固定データを格納した記憶媒体である。ＣＰＵ１０は、ＲＯＭ１１からプログラムを読み出し、そのプログラムに従ってＰＣの動作を制御する。ＲＡＭ１２は、ＣＰＵ１０がＲＯＭ１１から読み込んだプログラムを実行する上で一時的に必要とされるデータを格納する作業用記憶媒体である。入力部７は、ユーザが操作のときに使用するキーやボタンである。表示部８は、例えば画像などの情報を表示する装置である。バス２０は、図１に示す各部間でやり取りされるデータの経路である。
【００１３】
また、ＣＰＵ１０において、入力制御部１４はユーザの操作によって入力部７から入力された信号を検知し、表示制御部１５は表示部８における表示動作全般の制御を行う。
【００１４】
本実施形態のＰＣの外観を図２に示す。図２は、本実施形態のＰＣの側面側から見た斜視図である。図２（ａ）に示すように、本実施形態のＰＣは、第１筐体１と、第２筐体２と、第３筐体３とを有する。第１筐体１と第２筐体２とは、第１ヒンジ部４を介して連結されている。第１筐体１と第２筐体２とは、第１ヒンジ部４により回動し、所定の開き角αを形成する。また、第２筐体２と第３筐体３とは、第２ヒンジ部５を介して連結されている。第２筐体２と第３筐体３とは、第２ヒンジ部５により回動し、所定の開き角βを形成する。ユーザは開き角α及びβを所望の角度にすることができ、本実施形態のＰＣはその角度を保つことができる。
【００１５】
また、本実施形態のＰＣは、図１に示す入力部７の例として、図２（ａ）に示すように、テンキーやカーソルキー、ポインティングデバイス１７等の固定キーを第３筐体３に有する。また、本実施形態のＰＣは、図１に示す表示部８の例として、図２（ａ）に示すように、第１表示部２５を第１筐体１の表面に有し、第２表示部１３を第２筐体２の表面に有する。第２表示部１３は、第２筐体２において、第１表示部２５が備えられた第１筐体１の面と同じ側の面に備えられる。なお、表示部８の例としては、第１表示部２５とは別の表示部を第１筐体１の裏面に有するようにし、かつ、第２表示部１３とは別の表示部を第２筐体２の裏面に有するようにしてもよい。
【００１６】
なお、図２（ａ）は本実施形態のＰＣの開状態の一例を示す図であるが、「開状態」とは、開き角α及びβの少なくとも１つが１８０度未満であるときの状態をいう。これに対し、「閉状態」とは、開き角βが１８０度であり、かつ、開き角αが０度であるときの状態をいう。すなわち、閉状態は図２（ｂ）に示す状態となる。また、図２（ｂ）に示すように、本実施形態のＰＣにおいて、第１筐体１の側面の長さＬ１は、第２筐体２の側面の長さＬ２と第３筐体３の側面の長さＬ３とを合わせた長さとなっている。
【００１７】
本実施形態のＰＣの開状態の他の例について、図３及び図４を参照して説明する。図３及び図４は、本実施形態のＰＣの正面側から見た斜視図である。
【００１８】
図３に示す開状態は、開き角αが１８０度未満であり、かつ、開き角βが１８０度である場合である。図３に示す開状態では、第１表示部２５に所定の画像を表示することができる。そして、本実施形態のＰＣは、図３に示す開状態から図４に示す開状態に移行することができる。なお、図３に示す開状態において、第２表示部１３に所定の画像を表示することも可能である。
【００１９】
図４に示す開状態は、開き角αが１８０度であり、かつ、開き角βが１８０度未満である場合である。図４に示す開状態では、第１表示部２５と第２表示部１３とが隣接して連続するとともに、水平状態（フルフラット）となる。よって、図４に示す開状態では、第１表示部２５と第２表示部１３とを合わせた領域で１つの大画面が形成される。本実施形態のＰＣは、図４に示す開状態において、第１表示部２５と第２表示部１３との両方に跨って画像を表示することで、大画面表示（パノラマ表示）を実現できる。なお、図４に示す開状態では、第１表示部２５の裏面と第２表示部１３の裏面も、隣接して連続するとともに水平状態となる。
【００２０】
このように、本実施形態のＰＣでは、第１ヒンジ部４により、第１表示部２５と第２表示部１３とを合わせた大画面を実現している。すなわち、第１ヒンジ部４は、開き角αが１８０度となった場合に、第１表示部２５の面と第２表示部１３の面とを水平状態で隣接させるとともに、第１表示部２５の裏面と第２表示部１３の裏面も水平状態で隣接させる機能を有する。
【００２１】
ここで、第１ヒンジ部４の詳細な構成について、図９を参照して説明する。図９（ａ）〜（ｃ）は、第１ヒンジ部４の構成の一例を示す側断面図である。図９（ａ）は、図２（ｂ）に示す閉状態のときの第１ヒンジ部４を拡大した図である。図９（ａ）に示すように、第１ヒンジ部４は、第１筐体１内の軸部材４１と、第２筐体２内の軸部材４２とにそれぞれ接続されている。そして、第１ヒンジ部４は、軸部材４１及び軸部材４２を軸として所定方向に回動することができる。第１ヒンジ部４の回動により第１筐体１を回動させ、図２（ｂ）に示す閉状態から図３に示す開状態にすることができる。図９（ｂ）は、図３に示す開状態のとき（開き角αが１８０度未満のとき）の第１ヒンジ部４を拡大した図である。さらに、第１ヒンジ部４の回動により第１筐体１を回動させ、図３に示す開状態から図４に示す開状態にすることができる。図９（ｃ）は、図４に示す開状態のとき（開き角αが１８０度のとき）の第１ヒンジ部４を拡大した図である。図９（ｃ）に示すように、第１表示部２５と第２表示部１３は隣接して連続するとともに水平状態となっており、開き角αが１８０度となっている。また、第１表示部２５の裏面２７と第２表示部１３の裏面２８も隣接して連続するとともに水平状態となっており、開き角γが１８０度となっている。また、図９（ｃ）に示すように、第１ヒンジ部４は、第１筐体１及び第２筐体２の内部に収納される。これにより、第１ヒンジ部４は、第１筐体１及び第２筐体それぞれの表裏面（第１表示部２５、第２表示部１３、第１表示部２５の裏面２７、第２表示部１３の裏面２８）上にはみ出さない。
【００２２】
次に、図４に示す開状態のときの大画面表示の例について説明する。図５（ａ）及び（ｂ）は、図４に示す開状態のときの第１表示部２５及び第２表示部１３を真正面から見た図である。図５（ａ）及び（ｂ）に示す大画面表示は、図１に示すＣＰＵ１０の表示制御部１５によって行われる。大画面表示は、例えば図５（ａ）に示すように、第１表示部２５及び第２表示部１３を合わせた領域とほぼ同じ大きさである領域Ａに、一の画像が表示されるようにしてもよい。また、例えば図５（ｂ）に示すように、第１表示部２５及び第２表示部１３を合わせた領域を縦方向に分割した領域Ｂ及び領域Ｃに、一の画像が別々に表示されるようにしてもよい。図５（ａ）及び（ｂ）において、第１表示部２５の面と第２表示部１３の面とは水平状態で隣接しているので、領域Ａ、Ｂ、Ｃのいずれに表示される画像も、第１表示部２５と第２表示部１３との部分で途切れることはない。
【００２３】
以上説明したように、本実施形態によれば、２つの表示部に跨って表示される画像が途切れることがないので、画像の接合性を向上させることができる。
【００２４】
なお、上記実施形態において、第２のヒンジ部５により第２筐体２を傾け、開き角βが１８０度未満となるとき（図４に示す開状態のときを含む）には、第１筐体１及び第２筐体２側に重心が偏るため、ＰＣが後方に倒れるおそれがある。そこで、本実施形態のＰＣにおいて、第２筐体２を傾けたときの安定性を高めるための支持部を設けるようにしてもよい。以下、支持部の一例について図６を参照して説明する。図６（ａ）及び（ｃ）は、図４に示す開状態のときのＰＣを背面側から見た斜視図である。また、図６（ｂ）及び（ｄ）は、図６（ａ）及び（ｃ）に示す第２ヒンジ部５近傍を拡大した側面図である。
【００２５】
図６（ａ）に示すように、第２筐体２の下方には第１支持部６が設けられている。この第１支持部６は、板状の部材であり、図６（ｂ）に示すように、第３筐体３の底面と水平となって、第３筐体３の端部から延伸して設けられている。また、図６（ａ）に示すように、第２筐体２の背面には、第１支持部６と同形状の凹部である第１収納部２４が設けられている。第２筐体２が第３筐体３と水平のとき、すなわち開き角βが１８０度のときは、第１支持部６は第１収納部２４に収納されるようになっている。そして、第２ヒンジ部５により第２筐体２を傾けたときに、第１支持部６は外部に露出する構成となっている。この第１支持部６により、第２筐体２を傾けた場合に第１筐体１及び第２筐体を支持することができ、安定性を高めることができる。
【００２６】
また、図６（ａ）に示すように、第１支持部６の表面には溝部１６が設けられている。また、第１収納部２４内には、凹部である第２収納部２６が設けられており、その中に第２支持部９が収納されている。第２支持部９は、板状の部材であり、その一端が第２収納部２６内で固定されている。そして、図６（ｃ）及び（ｄ）に示すように、固定された一端を軸に矢印方向に回動することで外部へ露出する。このとき、図６（ｃ）及び（ｄ）に示すように、第２支持部９の一端が溝部１６に嵌合する。この第２支持部９により、第２筐体２を傾けた場合に第１筐体１及び第２筐体を支持することができ、安定性をさらに高めることができる。
【００２７】
また、上記実施形態において、図２（ａ）に示す開状態のとき、すなわち開き角α及びβがともに１８０度未満のときに、第１表示部２５と第２表示部１３とで別々の画像を表示するようにしてもよい。その一例について、図７を参照して説明する。図７は、図２（ａ）に示す開状態のときのＰＣを正面側から見た斜視図である。
【００２８】
図１に示すＣＰＵ１０の表示制御部１５は、ＲＯＭ１１に格納されている設定に従って、例えば図７に示すように第２表示部１３の表示を行う。図７では、第２表示部１３の表示例として、所定の画像が表示される小画面１９と、ユーザが各種操作を指示できる複数のキー１８とが表示されている。また、図７に示す例では、第２表示部１３を、人体の接触を感知可能なタッチパネルで構成する。ユーザにより複数のキー１８のうち所定のキーが指先等でタッチされると、図１に示すＣＰＵ１０の入力制御部１４が入力を検知する。このような構成により、ユーザは、第２表示部１３に対するタッチ操作で様々な指示を行うことができる。指示の例としては、所望のメニューを選択する指示、所望のコンテンツを小画面１９又は第１表示部２５に表示させる指示、小画面１９で選択したコンテンツを第１表示部２５に表示させる指示などが挙げられる。
【００２９】
また、上記実施形態において、入力部７の一例であるポインティングデバイス１７について説明する。図８は、ポインティングデバイス１７の外観を示す正面図である。ポインティングデバイス１７は、マウスカーソルの移動操作とボタン操作とを一体化したデバイスである。ポインティングデバイス１７は、図８に示すように、中央部分に光学式のカーソル部２３を備えており、カーソル部２３の左右には押下式の左クリック部２１及び右クリック部２２を備えている。ユーザは、第１表示部２５に表示されたマウスカーソルの移動操作を行いたい場合、カーソル部２３における所望の方向を指先でなぞる等して操作を行う。また、ユーザは、左クリックを行いたい場合は、左クリック部２１を指先で押下する等して操作を行い、右クリックを行いたい場合は、右クリック部２２を指先で押下する等して操作を行う。このポインティングデバイス１７により、ユーザは軽快な操作を実現できる。
【００３０】
以上、本発明の実施形態について説明したが、上記実施形態に限定されるものではなく、その要旨を逸脱しない範囲において種々の変形が可能である。
【産業上の利用可能性】
【００３１】
本発明は、開閉自在に連結された少なくとも２つの筐体にそれぞれ表示部を有し、２つの表示部に跨って画像を表示する装置、機器、システム等に適用できる。
【図面の簡単な説明】
【００３２】
【図１】本発明の一実施形態に係る情報処理装置の内部構成を示すブロック図である。
【図２】（ａ）は本発明の一実施形態に係る情報処理装置の開状態の一例を側面から示す斜視図であり、（ｂ）は本発明の一実施形態に係る情報処理装置の閉状態を側面から示す斜視図である。
【図３】本発明の一実施形態に係る情報処理装置の開状態の一例を正面から示す斜視図である。
【図４】本発明の一実施形態に係る情報処理装置の開状態の一例を正面から示す斜視図である。
【図５】（ａ）及び（ｂ）は、本発明の一実施形態に係る情報処理装置の大画面表示の各例を示す正面図である。
【図６】（ａ）及び（ｃ）は本発明の一実施形態に係る情報処理装置の支持部の一例を背面から示す斜視図であり、（ｂ）及び（ｄ）は本発明の一実施形態に係る情報処理装置の支持部の一例を拡大して示す側面図である。
【図７】本発明の一実施形態に係る情報処理装置の第２表示部の表示例を示す斜視図である。
【図８】本発明の一実施形態に係る情報処理装置のポインティングデバイスの外観を示す正面図である。
【図９】本発明の一実施形態に係る情報処理装置の第１ヒンジ部の詳細な構成を示す図であり、（ａ）は閉状態のときを示す側断面図であり、（ｂ）は開き角αが１８０度未満である開状態のときを示す側断面図であり、（ｃ）は開き角αが１８０度である開状態のときを示す側断面図である。
【符号の説明】
【００３３】
１    第１筐体
２    第２筐体
３    第３筐体
４    第１ヒンジ部
５    第２ヒンジ部
６    第１支持部
７    入力部
８    表示部
９    第２支持部
１０    ＣＰＵ
１１    ＲＯＭ
１２    ＲＡＭ
１３    第２表示部
１４    入力制御部
１５    表示制御部
１６    溝部
１７    ポインティングデバイス
１８    複数のキー
１９    小画面
２０    バス
２１    左クリック部
２２    右クリック部
２３    カーソル部
２４    第１収納部
２５    第１表示部
２６    第２収納部
２７    第１表示部の裏面
２８    第２表示部の裏面
４１、４２    軸部材
【図１】
2010039971.tif 000003
【図２】
2010039971.tif 000004
【図３】
2010039971.tif 000005
【図４】
2010039971.tif 000006
【図５】
2010039971.tif 000007
【図６】
2010039971.tif 000008
【図７】
2010039971.tif 000009
【図８】
2010039971.tif 000010
【図９】
2010039971.tif 000011